(57)【要約】【課題】本来不活性になる寒い季節に人も心を活性化し、寒い季節に潤いを与える事にある。【解決の手段】水源から水を導く導水手段と前記導水手段の少なくとも一端が吐水手段として解放され、前記開放された吐水手段より放出される水を造形に必要な場所に導く造形補助手段が設けられ、氷点下以下の気温によって水を目的の形状に結晶化して氷の造形をつくり寒さを楽しみ、さらに融解、崩落を可能にする手段を設け、また発光手段を内接し氷の造形を内部から照明して夜間も楽しめることとした【選択図】図１
2008183792.tif 000002
【特許請求の範囲】
【請求項１】
基本的には寒冷地において寒さを楽しむ方法、および寒さを楽しむ装置であって、水源から水を導く導水手段と前記導水手段の少なくとも一端が吐水手段として解放され、前記開放された吐水手段より放出される水を造形に必要な場所に導く造形補助手段が設けられ、氷点下以下の気温によって水を目的の形状に結晶化して氷の造形をつくり寒さを楽しむことを特徴とした方法、および氷の造形装置、即ち寒さを楽しむ装置。
【請求項２】
基本的には寒冷地において寒さを楽しむ方法、および寒さを楽しむ装置であって、水源から水を導く導水手段と前記導水手段の少なくとも一端が吐水手段として解放され、前記開放された吐水手段より放出される水を造形に必要な場所に導く造形補助手段が設けられ、前記造形補助手段に併設して一つ以上複数の溶解手段が設けけられ氷点下以下の気温によって水を目的の形状に結晶化して氷の造形をつくり、前記氷の造形を前記溶解手段によって目的にそってその造形を溶解、崩落させ寒さを楽しむことを特徴とした方法、および氷の造形装置、即ち寒さを楽しむ装置。
【請求項３】
基本的には寒冷地において寒さを楽しむ方法、および寒さを楽しむ装置であって、水源から水を導く導水手段と前記導水手段の少なくとも一端が吐水手段として解放され、前記開放された吐水手段より放出される水を造形に必要な場所に導く造形補助手段と前記造形補助手段に併設して一つ以上複数の発光手段が設けけられ氷点下以下の気温によって水を目的の形状に結晶化して氷の造形をつくり、前記氷の造形を前記発光手段によって内部より氷の造形を照明することを特徴とした寒さを楽しむ方法、および前記氷の造形を前記発光手段によって内部より氷の造形を照明することを特徴とした氷の造形装置、即ち寒さを楽しむ装置。
【請求項４】
基本的には寒冷地において寒さを楽しむ方法、および寒さを楽しむ装置であって、気温の変化で水の結晶化が見込める場所に発光手段、または造形補助手段に併設した発光し段を設け、気温の変化で水の結晶化した後前記発光手段を発光して内部より氷の造形を照明することを特徴とした寒さを楽しむ方法、および寒さを楽しむ装置。
【発明の詳細な説明】
【技術分野】
【０００１】
本発明は、本来嫌われる寒さを利用して人為的に芸術的な水の結晶を作り（以下氷の造形と称する）、更に夜間も愉しめるように発光装置を内設、また更に作成した氷の造形を必要な場所で分離、引き剥がしを可能とする溶解手段を設け寒さ楽しむ方法、および寒さを楽しむ装置に関する。
【背景技術】
【０００２】
冬の寒さは本来動物の行動を不活性にする、しかしながら人々はその寒さにより結晶化した水の造形を求めて遠くに、また高い山の上まで出かけているのが現状である。
またスキー場のライトアップによるナイタースキー、樹氷のライトアップが人気を集めているが天候、地理的要因から限定的で、さらに外部からの照明ではその自然の持つ立体感が損なわれていた。
【０００３】
氷の造形を当然最低気温が氷点下（理想的には氷点下5度以下）という条件は排除できないが希望の場所に立体感を損なわない氷の造形と照明方法が求められていた。
【発明の開示】
【発明が解決しようとする課題】
【０００４】
本来不活性になる寒い季節に人も心を活性化し、寒い季節に潤いを与える事にある。
【課題を解決するための手段】
【０００５】
請求項１の発明においては基本的には寒冷地において寒さを楽しむ方法、および寒さを楽しむ装置であって、水源から水を導く導水手段と前記導水手段の少なくとも一端が吐水手段として解放され、前記開放された吐水手段より放出される水を造形に必要な場所に導く造形補助手段が設けられ、氷点下以下の気温によって水を目的の形状に結晶化して氷の造形をつくり寒さを楽しむことを特徴とした。
【０００６】
請求項２の発明においては基本的には寒冷地において寒さを楽しむ方法、および寒さを楽しむ装置であって、水源から水を導く導水手段と前記導水手段の少なくとも一端が吐水手段として解放され、前記開放された吐水手段より放出される水を造形に必要な場所に導く造形補助手段が設けられ、前記造形補助手段に併設して一つ以上複数の溶解手段が設けけられ氷点下以下の気温によって水を目的の形状に結晶化して氷の造形をつくり、前記氷の造形を前記溶解手段によって目的にそってその造形を溶解、崩落させ寒さを楽しむことを特徴とすることとした。
【０００７】
請求項３請求項の発明においては基本的には寒冷地において寒さを楽しむ方法、および寒さを楽しむ装置であって、水源から水を導く導水手段と前記導水手段の少なくとも一端が吐水手段として解放され、前記開放された吐水手段より放出される水を造形に必要な場所に導く造形補助手段と前記造形補助手段に併設して一つ以上複数の発光手段が設けけられ氷点下以下の気温によって水を目的の形状に結晶化して氷の造形をつくり、前記氷の造形を前記発光手段によって内部より氷の造形を照明することを特徴とした寒さを楽しむ方法、および前記氷の造形を前記発光手段によって内部より氷の造形を照明することを特徴とした。
【０００８】
請求項４の発明においては基本的には寒冷地において寒さを楽しむ方法、および寒さを楽しむ装置であって、気温の変化で水の結晶化が見込める場所に発光手段、または造形補助手段に併設した発光し段を設け、気温の変化で水の結晶化した後前記発光手段を発光して内部より氷の造形を照明することを特徴とした。
【発明の効果】
【０００９】
本発明の寒さを楽しむ方法、寒さを楽しむ装置によれば、寒冷地においての家庭のちょっとした敷地内に小さな水の結晶を造り日々の成長を楽しむことが可能であり、また商店街、観光地のオブジェ、モニュメントとして使用して冬の閑散期の集客に使用可能である。
また内部発光手段が設けられているので夜間の、観察、集客が可能となる。
更に溶解手段が設けられているので人為的に氷の造形の溶解、崩落を誘導して観察、集客が可能となる、特に大規模な氷の造形を組織的に造り、組織的に溶解、崩落を誘導することにより更なる集客効果が見込める。
【発明を実施するための最良の形態】
【００１０】
以下、本発明を詳細に説明する。一般的に水の結晶としてよく知られているものにツララ、樹氷、霧氷等があるがある、本説明では実験的に作成したツララの造形を例として説明する。
尚、請求項１ないし請求項３の発明はそれぞれ方法とその方法を実践する装置であり、単独で使用可能でありまた任意に連結して使用も可能であり、併せて説明する。
【実施例１】
【００１１】
本発明方法は人為的に水の結晶を作成して、前記水の結晶の造形美によって寒さを楽しむ方法であって図１はその装置である。
図１中1０は導水手段1としての塩化ビニール製の導水パイプ、導水パイプ１0の一端は水道の蛇口に連結され、他端は吐水手段としての開放され吐水口１１を形成している。
更に２０は造形補助手段２としてのアルミパイプ製のフレーム、造形フレーム２０は建物を模っていてその頂上部付近に前記吐水口１１の位置に対応した吐水受け２１が設けられている。
一方前記吐水受け２１の底部に配水口２２が４個設けられ、前記４個設けられた配水口２２は前記造形フレーム２０の上部を形成する分配水フレーム２３に対応して配置され、前記分配水フレーム２３はアルミのパイプの上部を窪ませ小さな雨樋状態に形成され、要所、要所に造形口２４が開けられた構成で氷の造形装置、即ち寒さを楽しむ装置が構成されている。
以上のように構成された本発明装置を使用して２００６年１２月気温氷点下３度で開始され当日の最低気温氷点下９度の条件下で最初の実験が行われた。
水道より通水をすると水は吐水口１１より放水され、放水された水は一度吐水受け２１に貯められ一定の圧力に整えられて配水口２２よりほぼ均等に分配水フレーム２３を下方に落下し途中分配水フレーム２３に設けられた各造形口２４より落下寒気によって美しい氷の造形が作成できた。
以上説明した通り本発明装置によれば非常に簡単に氷の造形（ここではツララ）が作成可能でありまた副産物の氷の造形も生成できた、副産物の氷の造形については後で詳細に説明する
本説明において造形補助手段２としてのアルミパイプ製の造形フレーム２０を使用したがこれは熱伝導率が高く、即ち短時間に水を結晶化するのに都合がよいためであってこれに限定されるものではなく、どのような金属、ワイヤーを使用しても、また動物,植物、自然造形、人工造形、迷路等どのような形態で使用してもよい。
また造形補助手段の一部または全てとして自然の石、岩,山、等地形および草木を使用してもよい。
それぞれ変化があって楽しめる、
実験では人工物では金網、鎖、脚立、自然物では岩、立ち木、枯草を造形補助手段の素材として使用した結果が面白い造形美を提供してくれた、
また本説明では水の経路を開放経路としたが閉鎖経路とすることも可能であるが、閉鎖経路を使用して実験した結果水は複数設けられた造形口においては一番下方の造形口より放出される力が強く、上方の造形口放出される力が弱いこの放出される力が弱いところから凍結が始まり最終的には一箇所一番下方の造形口のみから放水され後は全て凍結して通水が不能となった。
その結果を受けて吐水受け２１は各分分配水フレーム２３に均等に水を配分する工夫であり造形口に高低差がない場合は省略しても、また図２に示すように補助吐水受け２５を分岐点に増設してもよい。
なおまた、閉鎖経路に吐水受け２１を使用することも可能であるが閉鎖経路の場合は図３に示すように貯水タンク２６を設けて均等な水圧にすることも可能である。
尚、導水手段1としての塩化ビニール製の導水パイプ１０を使用したが導水手段1としては塩化ビニール製に限定されるものではなく水を目的の場所に運ぶことが可能であれば何を使用してもよいが通水を途中で一時停止する環境で使用する場合は導水官１０、および分分配水フレーム２３の凍結防止に公知の水抜き手段または凍結防止手段を設けても本発明の効果に変化はない。
更に通水を途中で一時停止する環境において、公知の気温を探知し前記探知した気温が設定された気温以下になると導水、以上になると一時停止する手段を導水手段に設けると便利である。
また図４に示すように造形補助手段２としてのアルミパイプ製の造形フレーム２０に予め導水手段1としてのアルミパイプ製の導水パイプ２５を設けても、よく、図５に示すように造形フレーム２０自体を導水手段1の一部として使用してもよい、この時水の経路は閉鎖経路となる。
尚また導水の原動力として水道の圧力を使用したが循環ポンプ等人工の加圧手段を用いても、自然の位置エネルギーを使用しても本発明の効果は変わらない。
発明者らは造形補助手段２としてのアルミパイプ製の造形フレーム２０を使用して実験を行ったがこれは熱伝導率が高く、即ち短時間に水を結晶化するのに都合がよいがこの同じアルミ製パイプにおいても鏡面仕上げのパイプでは結晶化が阻害され、仮に結晶化してもすぐ剥離して落下することが判明した。
このことにより更に高度な氷の造形を作ることが可能であり説明する。
氷の造形を作る時、予め水の結晶を促進したいところに熱伝導率の高く更に抵抗の大きい材料を使用し、水の結晶を抑制したいところに熱伝導率の低く更に抵抗の小さい材料を使用することによりメリハリの利いたより高度な氷の造形が可能となる。
尚また更に実験によって判明したことであるが作成した氷の造形の下方に明らかにツララとは異なる石筍に似た水の結晶とビー球状の結晶が成長していることが場所によって起こる、以下前記石筍状の結晶を氷筍と呼び、ビー球状の結晶を氷珠と呼ぶ（氷筍、ヒョウジュン、氷珠、ヒョウジュは共に発明人の造語）よく調べてみると必ず芯に松葉、枯草等の体積あたりの抵抗の大きい芯になる物体があることが判明した、アルミニュームの糸状の削り屑で追試したところほぼ同一の氷筍、氷珠が再現された。
更に図６に示すように造形フレーム２０を構成するアルミパイプに抵抗を増大させ、水を澱ませる目的の浅い窪み31を設けることによってより短時間に氷の造形が完成されることが可能である。
同様に図６に示すように造形フレーム２０を構成するアルミパイプの表面を抵抗が大きく熱伝導率の高い突起32を設けることによりツララと氷筍を同時に発生することが可能である。
図７は熱伝導率が高く、尚且つ抵抗の大きいアルミニュームのリボン３３を抵抗が少なく、または熱伝導率の低い材料に巻き付けた例である。
また、その時の風により出来上がりが変化する、これた積極的に利用する目的で送風手段を設けて氷の造形に変化をもたせてもよく、温風を送ることによって氷の結晶可を妨げることも可能である。
以上説明した寒さを楽しむ方法、および寒さを楽しむ装置より作成した氷の造形必要に応じて通水して付け加え、また反対に加熱、および物理的に削って削除することも当然可能であるがより合理的に予め発熱手段５０を造形フレーム２０の要所要所に設けて置くことにより不必要な部分を溶解、剥離、削除が可能となり、より目的に添った氷の造形が作成でき、より寒さを楽しめる。
また完成した氷の造形は造形フレーム２０の設置面と硬く凍り付いており移動することが不可能である、この対策として先に説明した発熱手段５０を切り離したい部位に設け必要に応じて発熱し設置面と氷の造形を分離して移動が可能である。
また更に本発明方法、および装置によればそのときの天候にも拠るが日本の寒冷地においてはおおむね１２月から３月まで長期間氷の造形が楽しめることとなる、しかしながら同じ造形を長期間見続けることは新鮮味に欠け更に途中クリマス、お正月、節分、ひな祭りとイベントが続く、そこで各イベントに合わせた造形が求められる。
この対策として現在作成した氷の造形を一度破棄する手段として先に述べた造形フレーム２０に設けられた発熱手段５０を使用することが可能であり更に積極的に時間を短縮する方法として導水官10にひいては造形フレーム２０、分分配水フレーム２３に熱湯を注入してもよい、特に閉鎖経路を使用したとき有効である。
更に積極的に短時間に氷の造形を崩落させてそれを楽しむことも可能である。
氷の造形中氷の厚くなる所を選び予めニクロム線等裸の発熱体を設け、通電することによって瞬時に近い位置の氷と溶かし、更に生じた水を蒸発させる、しかしながら発熱体から離れた位置の氷は溶けず水と水蒸気と閉じ込める、最終的に水蒸気の圧力が勝るように構成し小さな水蒸気爆発を連続して起こし、氷の造形を崩落して楽しむこともできる。
当然前記発熱体の変わりに少量の火薬を使用して氷の造形を崩落させてそれを楽しむことも可能であることは無論である。
尚、剥離、崩落させた氷を短時間に片付けるために溝を堀U字溝等の排水路を設け最終的に貯水氷槽を設け加熱して水に戻し再利用してもよい。
以上説明した通り本発明方法、装置によれば目的の形状に氷の造形を造り、足りないところを補い、不要部分を削り、目的によって移動、更に撤去し、その撤去をも楽しむこことした、しかしながら全ては基本的に日中のみの楽しみであった、当然ライトアップが考えられるが通常のライトアップではその立体感、透明感が損なわれる、そこで予め耐水性、耐氷性、耐圧性をもった発光手段を造形補助手段の要所要所に配置して氷の造形自体の照明、更には夜間の照明として使用可能であり実験結果と合せて具体的に説明する。
実験は庭の通路横に植えられた白樺とモミの木を造形補助手段として使用して２００６年１２月気温マイナス５度からはじめ当日の最低気温はマイナス１３．５度であった。
導水手段としてビニールホース、前記ビニールホース先端に１３ｍｍの塩化ビニール製パイプの一端を接続し、前記塩化ビニールのパイプ他端に放水角度９０度の散水器を使用して行われ、発光手段としてはLED発光の発光間隔（点滅モード）、常時発光切り替えを備えた市販イルミネーションを使用し、一般に行われている街路樹にイルミネーションを取り付ける方法で、電源には家庭用電源を使用し設置した。
実験結果LEDイルミネーションは氷の中で問題なく発光し（実験開始から５週間以上たった現在も発光を続けている）氷の造形を美しく暗闇に浮かび上がらせて昼間と異なった美しさで楽しませてくれ、更にイルミネーション自体を氷で覆い氷の造形とすることが可能であることが判明した。
また、実験に使用したLEDイルミネーションはその形状から、また設置状態によって氷の付着しない物、しにくい物が見受けられたこの対策として図８および図９、１０に示すようにLEDイルミネーションを構成するリード線５１に熱伝導性が大きく、尚且つ抵抗の大きいアルミニュームのリボン３３巻きつけると先に説明したツララと氷筍の中間体も発生し効果的である。
またリード線５１自体の抵抗を大きくしても熱伝導率の高い材料を塗布してもよい。
以上の実験結果の補完としてアルミニュームのリボンを巻いたLEDイルミネーション自体を造形補助手段とした実験を２００７年１月気温３度より行ったがほぼ１時間で氷の造形が完成２時間半でLEDイルミネーション支柱が氷の重さに耐えられず倒壊した。倒壊時の気温はマイナス7度であった。
実験の結果アルミニュームのリボンを巻いたLEDイルミネーションは造形補助手段として十分機能し、更に適度な厚みのアルミニュームのリボンはその剛性によりLEDイルミネーションを目的の形状に固定することが可能であった。
またLEDイルミネーションを常時発光モードで使用すると程よく足元を照らし常夜灯として十分機能する。
また尚、今回の実験で放水角度９０度の散水器を使用したが下が枯れた草地であったこともあり先に説明した氷筍、氷珠が大量に発生し地面を埋め尽くした、この中に発光体手段としてケミカル発光体を設け踏みつけることによって発光させてもよく、氷筍、氷珠を踏みつける音の感触とともに発光が楽しめる。
また、点滅モードでLEDイルミネーションを使用する時点滅に連動した音楽を流すと楽しさが一層増す。
更にまた積極的にLEDイルミネーションの点滅に連動した音楽演奏装置作成しても、逆に音に連動して点滅するLEDイルミネーションを作成する事によりより冬の寒さを楽しむことが可能である。
以上本説明で発光手段の電源として家庭用交流電源を使用したが乾電池、バッテリー、ソーラー蓄電池等電源を使用してもよく、使用範囲が拡大できる利点がある。
尚、前記実験により枯れ木に散水すると枝の先端部が透明の霧氷状態に中間部は半透明の太い霧氷状態に幹に近い部分は太い霧氷にツララが垂れ下がった状態になった、またモミの木は不透明の樹氷状に結晶した、これは吐水手段として散水器を使用し枝にかかる水滴の量と当日の気温が適度であったためであり、この事から本発明装置の使用時の気温により散水量、散水時間、吐出する水滴の大きさを調節することによってツララ、霧氷、樹氷、氷筍、氷珠等いろいろな氷の結晶の形態を作成可能である。
以上氷の造形内に発光手段を設置して夜の寒さを楽しむ方法、および夜の寒さを楽しむ演出装置を説明したが、本発明装置に先に説明した溶解手段を設けてもよい、しかしながら崩落時に発光手段に電気を供給するリード線５１が切断される可能性が否定できず、この対策として図１１に示すように発光手段、リード線５１、発熱体を透明樹脂５２内に設けても、透明樹脂５２内に固めてもよく、適度な長さに構成して継ぎ足していく方式が便利である。
尚、リード線破断対策として強靭なワイヤーを芯に使用したイルミネーションが有効で、芯にワイヤーを設けたイルミネーションはイルミネーション自体を造形補助手段として使用する時のよい素材となる。
以上のように構成された本発明装置は小さな水蒸気爆発の連続、また少量の火薬を使用による発光手段の損傷を最小限に抑えることが可能でより一層文字道理凍てつく寒さを楽しむことが可能である。
以上説明した寒さを楽しむ装置は立ち木を利用して人工的に通水して氷の造形を作成し発光手段を設け内部より照明して楽しんだが自然の中自然に水が結晶し造形を作るところが少なからずある、滝、川岸、湖などに見られるがこのような場所に予め発光手段、または造形補助手段付帯した発光手段を設けてもよい。
また自然の中で水が自然に結晶し造形を作ることは天候に大きく作用される、よく今年は全面凍結した、今年は暖冬でだめだったと言う話題が世間で言われる。本発明装置の熱伝導率の高い造形補助手段を使用することにより自然の中においても結晶化の促進が可能で冬の観光地の集客に効果が期待できる。
以上開示した数回の実験結果から次のことも判明した。
気温は不安定である。
時間効率の良い水の結晶はマイナス５度Cから始まる。
マイナス３度でも間欠的に放水することにより効率は上がる、しかしと水工の凍結も頻繁に起こった、特に熱伝導率の高い金属使用した吐水口の直径が小さい散水器に於いてはマイナス３度では５分で凍結した。
マイナス７度以下になるとほとんど瞬間凍結した。
マイナス７度Cの条件下で生木（白樺10年もの）を造形補助手段として使用して散水器で頂上より散水すると造形の重みによって折れる物、倒れる物が出た、モミの木においても同じであった。
これらのことから出水、停止時間のこまめな調整、前述した導水手段、吐水手段からの配水手段、または導水手段から造形口までの保温手段が最終的に氷の造形の早期完成に有効である。
また、出水、停止の制御は時間制御より温度による制御が優る。
以上説明した寒さを楽しむ方法、装置は自然の寒さを利用したが冷凍庫を使用することにより季節場所を問わず利用可能である。
最後に本発明の理想的使用例と考える発明者らの最終目標を提示しておく、地面が芝に覆われた大きいグランドがあり回りが20m以上もある針葉樹数百本で三方が囲まれ、裏山にはマイナス15度でも全面凍結したことのない滝がある。
時はクリスマス前夜昨日の最低気温マイナス7度グランドに導くエントランスの両側は白樺並木、しばらく進むと白樺の梢にかすかな光が見受けられるものがあり、徐々にその光が増す白樺は徐々に人工霧氷に覆われその白樺並木の下の地面に設けられたイルミネーションの光を反射して輝き、しばらく進むとイルミネーションの輝きが徐々に変化してくるよく見ると地面に置かれたイルミネーション自体の輝きが微妙に変化している、氷珠、氷筍が徐々に白樺並木の下の地面に設けられたイルミネーションを覆い始めイルミネーション輝きに変化が生じた、更に進むと白樺並木を覆った人工霧氷にツララが生じ、徐々に巨大化し最後は巨大な白樺並木の氷のトンネルとなり正面ゲートに続く。
正面ゲートは太さ50cm長さ4.、5ｍの巨大ツララで完璧に閉じられている開園予定時間まで後5分なのに開園まで後1分になった時低い低周波のうなりと同時に巨大ツララの中に真っ赤に白熱大量の水蒸気と共に人形の入り口がしかもペアーで出現した。
グランドに入ると数百本の針葉樹はイルミネーションで飾られよく見るとイルミネーションの光が普通と異なる、近づいてみると全てのイルミネーションのみが薄く氷に包まれその為イルミネーションの光が柔かく乱反射していることが判る。
その内側に長い氷の城壁内部にイルミネーションで飾られて点滅している、しかしその点滅に規則性がある、遠くでドドドーンと太鼓の音、少し間を置いて城壁の赤いイルミネーションがチヵチヵチヵーン、次に小太鼓がトントントトトーンすると橙色のイルミネーションがピカピカピピピー、更に三味線の音白いイルミネーションがそれに答える、低い音は波長の長い光に、高い音は波長の短い光に連動させ、音の出るところから離れるとタイムラグが生じるこれが面白い幻想的な音楽と光の競演、音楽がディスコサウンドに変わると今度はタイムラグが少ない、これは音に合せて発光するのではなく元々タイムラグを計算してプログラムされているからである。集まった人々はグランド広がるグランドは氷筍、氷珠で埋め尽くされている、今朝早く散水車で移動散布し凍成したものである。
音楽に合せてステップを踏む、同時にグランドの氷筍、氷珠を踏み割るその感触は霜柱に似るがそれとも異なりやさしい。
そのうちグラウンドの所々で発光する所が出てくる、最初に発光させた人を狂喜させる、隣の観客も発光させた、すると全ての観客が発光するところを求めてグランドを駆け回り程よく体が温まったころクリスマスソングが流れだしグラウンドには何時の間にかメリークリスマスの文字が光で描かれ、連動して針葉樹上方にイルミネーションで横文字のメリークリスマスが移動しながら描かれる。
グラウンドの発光は氷筍、氷珠中に設けられているケミカル発光体を氷筍、氷珠踏むことにより発光させた結果で予めメリークリスマスの文字に配置して置いた物である。
フィナーレはマイナス15度でも全面凍結したことのない滝の音が増幅されてスピーカーから流れる同時に全面凍結した滝が照明に浮かび上がる熱伝導率が高く、抵抗の大きい造形フレームを使用した結果最低気温マイナス7で滝の表面のみを全面凍結させたものである、さながら裏見の滝ならぬ表見の滝の出現である。
スピーカーから流れる滝の音が元に戻り、照明が徐々に落ち完全に元に戻った頃滝の頂上付近下方から上方に何筋もの赤い光が走りスピーカーからは地鳴りの音、しばらくして滝の頂上を照明が照らすなんと太い水蒸気の煙が立ち登り大音響と共に滝の頂上が爆発それに連動して滝全体が崩落、更にイルミネーションに飾られた氷の城壁までもが崩落をはじめイルミネーションは気が狂ったように点滅する、そしてまた暗闇に包まれ帰路を氷筍、氷珠のイルミネーションが蛍の光を奏でながら見送る。
観客は満足して帰る、しかし氷の造形の演出スタッフは大変である凍てつく夜のうちに造形設備を元に戻し明日、いやもう今日であるがクリスマスイブ本番に向け崩落させた氷を予め設けておいた放氷路に片付、再度城壁と氷の滝を作成しなくてはならないから。これが発明者らの本発明を使用して実現可能な構想である。決して夢ではありません。
【産業上の利用可能性】
【００１２】
自宅にいて人々の心を和ませ仕事の効率が上がる。
冬の閑散期の集客が可能である。
冷凍庫を使用して氷の造形を造れば暑い夏に涼しさが楽しめる。
【図面の簡単な説明】
【００１３】
【図１】本発明の一実施例を示した立面説明図である。
【図２】本発明の一実施例を示した平面説明図である。
【図３】本発明の一実施例を示した部分断面説明図である。
【図４】本発明の一実施例を示した立面説明図である。
【図５】本発明の一実施例を示した立面説明図である。
【図６】本発明の一実施例を示した部分断面説明図である。
【図７】本発明の一実施例を示した部分側面説明図である。
【図８】本発明の一実施例を示した部分側面説明図である。
【図９】本発明の一実施例を示した部分側面説明図である。
【図１０】図９中A−Aせんにおける断面説明図である。
【図１１】本発明の一実施例を示した部分断面説明図である。
【符号の説明】
【００１４】
１  導水手段    
１０  導水パイプ    １１  吐水口
２  造形補助手段
２０  造形フレーム  ２１  吐水受け  ２２  分配水口  ２３  分配水フレーム
２４  造形口
３１  浅い窪み      ３２  突起      ３３  アルミニュームのリボン
５０  発熱手段      ５１  リード線      ５２  透明樹脂
【図１】
2008183792.tif 000003
【図２】
2008183792.tif 000004
【図３】
2008183792.tif 000005
【図４】
2008183792.tif 000006
【図５】
2008183792.tif 000007
【図６】
2008183792.tif 000008
【図７】
2008183792.tif 000009
【図８】
2008183792.tif 000010
【図９】
2008183792.tif 000011
【図１０】
2008183792.tif 000012
【図１１】
2008183792.tif 000013